(57)【要約】【課題】検査の結果値を全検査項目を含めてトータルに評価することができ、保健指導や生活習慣の改善等に有効に利用可能とする。【解決手段】Ｓ１で、複数の検査項目ごとに、基準値と、その基準値を境にした正常範囲及び異常範囲と、当該正常／異常の各範囲ごとの分割数とが入力されると、Ｓ２で、これらの値を記憶装置に格納すると共に、各検査項目ごとに、正常／異常の各範囲夫々の開始値と終了値との差を対応する分割数で除した最小単位を求め、Ｓ４で、各検査項目ごとに、検査結果を基準値と比較して正常結果と異常結果とに分類して、Ｓ５で、各検査項目ごとに、夫々の基準値と結果値との差を最小単位で除して標準値を算出し、Ｓ６で記憶装置に格納する。【選択図】図２
2008302135.tif 000002
【特許請求の範囲】
【請求項１】
複数の検査項目ごとに、基準値と、その基準値を境にした正常範囲及び異常範囲と、当該正常／異常の各範囲ごとの分割数とを設定して記憶装置に格納する第１ステップと、
各検査項目ごとに、前記正常／異常の各範囲夫々の開始値と終了値との差を対応する分割数で除した最小単位を求める第２ステップと、
各検査項目ごとに、検査結果を前記基準値と比較して正常結果と異常結果とに分類する第３ステップと、
各検査項目ごとに、夫々の基準値と結果値との差を前記第２ステップで求めた最小単位で除して標準値を算出し、前記記憶装置に格納する第４ステップと、
を有することを特徴とする医療検査データの処理方法。
【請求項２】
標準値を、正常結果と異常結果との分類ごとに合計して記憶装置に格納する第５ステップを有することを特徴とする請求項１に記載の医療検査データの処理方法。
【請求項３】
請求項１又は２に記載の医療検査データの処理方法をコンピュータに実行させるための医療検査データの処理プログラム。
【請求項４】
請求項３に記載の医療検査データの処理プログラムを格納したコンピュータ読み取り可能な記録媒体。
【請求項５】
複数の検査項目ごとに、基準値と、その基準値を境にした正常範囲及び異常範囲と、当該正常／異常の各範囲ごとの分割数とを夫々入力する入力手段と、
前記入力手段で入力された各数値を記憶する記憶手段と、
各検査項目ごとに、前記正常／異常の各範囲夫々の開始値と終了値との差を対応する分割数で除した最小単位を求め、検査結果を前記基準値と比較して正常結果と異常結果とに分類し、夫々の基準値と結果値との差を前記最小単位で除して標準値を算出して前記記憶手段に格納する標準化手段と、
を備えることを特徴とする医療検査データ処理システム。
【請求項６】
標準化手段は、標準値を正常結果と異常結果との分類ごとに合計して記憶手段に格納することを特徴とする請求項５に記載の医療検査データ処理システム。
【発明の詳細な説明】
【技術分野】
【０００１】
本発明は、健康診断等で得られる医療検査データを処理するための処理方法や処理プログラム等に関する。
【背景技術】
【０００２】
健康診断等で得られる医療検査データは、腹囲や血糖値、中性脂肪といった検査項目ごとに夫々独自の数値で表され、各検査項目ごとに基準値と比較して正常や異常の評価がなされている。例えば特許文献１には、臨床検査データのうち連続量として表現できる量的検査値について、性や年齢等の条件で分類して統計分析処理する第１ステップと、これを元にした標準化指標を作成する第２ステップと、第２ステップで作成したものに被検査者個人の臨床検査データを重ねて表示する第３ステップにより、臨床検査データの可視化表現グラフを作成する発明が開示されている。
【０００３】
【特許文献１】特開２００５−９２８５３号公報
【発明の開示】
【発明が解決しようとする課題】
【０００４】
このようなグラフによって検査データが正常範囲か否かの判断が容易となるが、あくまで各検査項目ごとでの表示であるので、全検査項目中の異常に該当する検査項目の割合や、前回の検査結果との全体的な比較等、全検査項目の検査データをトータルに評価することができず、検査項目ごとの保健指導で活用されるにとどまっていた。
【０００５】
そこで、本発明は、各検査項目ごとでの正常／異常の評価は勿論、全検査項目を含めてトータルに評価することができ、保健指導や生活習慣の改善等に有効に利用可能となる医療検査データの処理方法及び処理プログラム、記録媒体、処理システムを提供することを目的としたものである。
【課題を解決するための手段】
【０００６】
上記目的を達成するために、請求項１に記載の発明は、医療検査データの処理方法であって、複数の検査項目ごとに、基準値と、その基準値を境にした正常範囲及び異常範囲と、当該正常／異常の各範囲ごとの分割数とを設定して記憶装置に格納する第１ステップと、各検査項目ごとに、正常／異常の各範囲夫々の開始値と終了値との差を対応する分割数で除した最小単位を求める第２ステップと、各検査項目ごとに、検査結果を基準値と比較して正常結果と異常結果とに分類する第３ステップと、各検査項目ごとに、夫々の基準値と結果値との差を第２ステップで求めた最小単位で除して標準値を算出し、記憶装置に格納する第４ステップと、を有することを特徴とするものである。
請求項２に記載の発明は、請求項１の目的に加えて、結果値のトータルな評価をより有効に行うために、標準値を、正常結果と異常結果との分類ごとに合計して記憶装置に格納する第５ステップを有することを特徴とするものである。
上記目的を達成するために、請求項３に記載の発明は、医療検査データの処理プログラムであって、請求項１又は２に記載の医療検査データの処理方法をコンピュータに実行させることを特徴とするものである。
上記目的を達成するために、請求項４に記載の発明は、請求項３に記載の医療検査データの処理プログラムを格納したコンピュータ読み取り可能な記録媒体としたものである。
【０００７】
上記目的を達成するために、請求項５に記載の発明は、医療検査データ処理システムであって、複数の検査項目ごとに、基準値と、その基準値を境にした正常範囲及び異常範囲と、当該正常／異常の各範囲ごとの分割数とを夫々入力する入力手段と、その入力手段で入力された各数値を記憶する記憶手段と、各検査項目ごとに、正常／異常の各範囲夫々の開始値と終了値との差を対応する分割数で除した最小単位を求め、検査結果を基準値と比較して正常結果と異常結果とに分類し、夫々の基準値と結果値との差を最小単位で除して標準値を算出して記憶手段に格納する標準化手段と、を備えることを特徴とするものである。
請求項６に記載の発明は、請求項５の目的に加えて、結果値のトータルな評価をより有効に行うために、標準化手段は、標準値を正常結果と異常結果との分類ごとに合計して記憶手段に格納することを特徴とするものである。
【発明の効果】
【０００８】
本発明によれば、各検査項目ごとでの正常／異常の評価は勿論、全検査項目を含めてトータルに評価することができ、保健指導や生活習慣の改善等に有効に利用可能となる。特に、任意に指定した分割数を用いて標準化を行うため、標準値の変位量が調整可能となり、分析に適した所望の標準値を得ることができる。
特に、請求項２や６に記載の発明によれば、標準値の合計を正常／異常範囲ごとに得ることができるため、結果値のトータルな評価がより有効に行え、検査後との合計値の推移を算出等することで、被験者個人の状態変化も容易に把握可能となる。
【発明を実施するための最良の形態】
【０００９】
以下、本発明の実施の形態を図面に基づいて説明する。
図１は、本発明の医療検査データの処理システム（以下単に「処理システム」という。）の一例を示すブロック図で、本処理システム１は、システム全体を統括的に制御するＣＰＵ２を備え、このＣＰＵ２に、ハードディスク等の記憶装置３が接続されると共に、入出力制御部４を介して、入力手段となるキーボードやマウス等の入力装置５と、モニタ等の表示装置６と、プリンタ等の出力装置７とが夫々接続されている。この処理システム１は、例えばパーソナルコンピュータを利用して構築することができる。
ＣＰＵ２は、内部のメモリに、ＯＳ等の基本プログラムの他、検査結果の値（以下「結果値」という。）を標準化する処理プログラムを格納して、標準化処理を実行可能となっている。以下、処理システム１における標準化処理を図２のフローチャートに基づいて説明する。
【００１０】
まずＳ１では、表１に示すように、検査項目ごとの基準値と、その基準値を境にした正常範囲及び異常範囲と、当該正常／異常の各範囲ごとの分割数とが夫々入力される。この分割数は、標準値の表示単位を設定するもので、分割数１だと最小単位が１、分割数２だと０．５となる。つまり、大きな値で分割数を設定すると、結果値の細かい変位に対応した処理が可能となり、小さい値で分割値を設定すると、結果値の大きな変位に対応した処理が可能となる。
【００１１】
【表１】
2008302135.tif 000003
【００１２】
こうしてＳ１で正常／異常範囲及び夫々の分割数、基準値が入力されると、Ｓ２では、これらの値を記憶装置３に格納すると共に、入力された正常範囲及び異常範囲と、夫々の分割数を元にして、正常範囲最小単位と異常範囲最小単位とを算出する。具体的には、各範囲の終了値と開始値との差を分割数で除して求める。算出結果は表２のようになる。
【００１３】
【表２】
2008302135.tif 000004
【００１４】
次に、Ｓ３で、各検査項目ごとに被験者の結果値が入力されると、Ｓ４では、入力された検査値を基準値と比較して、正常結果と異常結果とに分類する。ここでの分類結果を表３に示す。なお、被験者の氏名や性別、年齢、検査の実施日時や検査機関等の情報もここで付随して入力可能となる。
【００１５】
【表３】
2008302135.tif 000005
【００１６】
そして、Ｓ５においては、結果値が正常結果となる検査項目では、（結果値−基準値）／正常範囲最小単位の計算式で正常結果標準値を求める一方、結果値が異常結果となる検査項目では、（結果値−基準値）／異常範囲最小単位の計算式で異常結果標準値を求める。但し、基準値以下が異常となる検査項目については、（結果値−基準値）部分を（基準値−結果値）として計算する。ここではＨＤＬコレステロールの項目が該当する。これらの処理により、基準値を境にして正常結果標準値はマイナスの値となり、異常結果標準値はプラスの値となる。夫々の計算結果を表４に示す。
【００１７】
【表４】
2008302135.tif 000006
【００１８】
こうして各検査項目ごとの正常結果標準値及び異常結果標準値が得られると、Ｓ６では、これらの各データを被験者ごとの標準化ファイルとして記憶装置３に格納する。
【００１９】
このように各被験者ごとに各検査項目の標準値を格納しておけば、任意の検査項目を選択して、正常結果標準値と異常結果標準値とを別々に加算して合計値を算出し、平均値や最大値、最小値等を算出することもできる。例えば表５は、腹囲を除く検査項目において正常結果標準値と異常結果標準値との合計とその平均値、最大値及び最小値を算出したもので、このデータも記憶装置３に格納しておけば、正常結果標準値や異常結果標準値が所定範囲に該当する被験者や、平均値が所定範囲の被験者等、任意の条件に該当する被験者の抽出が可能となる。
【００２０】
よって、被験者の全データや特定の条件を指定してグループ化したデータの中から、例えば標準値の範囲を異常結果の境界に近い範囲に指定して抽出すると、僅かな生活習慣の改善で標準値を正常化できる被験者の抽出が行え、逆に異常結果の境界からかけ離れた値を指定して抽出すると、相当な努力が必要な被験者、或いは現に治療を行っている被験者等の特定が可能となる。また、正常結果の境界に近い範囲に指定して抽出すると、異常値予備軍、すなわち僅かな油断から異常結果に繋がる可能性が高い被験者が抽出可能となる。
【００２１】
【表５】
2008302135.tif 000007
【００２２】
一方、こうした標準化を検査ごとに実施することで、被験者個人単位で、合計値や平均値の推移を容易に把握することができる。表６は、表５の合計値等を前回の検査結果の標準値として、今回の検査結果の標準値との推移を正常結果と異常結果とに分けて示したもので、このように推移を算出すれば、被験者個人の状態変化が明確となる。例えば、この表のように異常結果標準値推移で合計値の推移がマイナスであれば、前回より結果値が改善している状態となり、マイナスが大きいほど生活習慣の改善努力が積極的に行われていると判断できる。
【００２３】
【表６】
2008302135.tif 000008
【００２４】
このように、上記形態の処理システム及び処理方法によれば、各検査項目ごとでの正常／異常の評価は勿論、全検査項目もトータルに評価することができ、保健指導や生活習慣の改善等に有効に利用可能となる。特に、任意に指定した分割数を用いて標準化を行うため、標準値の変位量が調整可能となり、分析に適した所望の標準値を得ることができる。
また、ここでは、標準値の合計値等を正常／異常範囲ごとに得るようにしているため、結果値のトータルな評価がより有効に行え、検査後との合計値の推移を算出等することで、被験者個人の状態変化も容易に把握可能となっている。
【００２５】
なお、分割数は上記形態に限らず、適宜変更可能で、整数以外に小数点以下の数値でも分割数は設定可能である。勿論検査項目や夫々の正常／異常範囲、基準値等も上記形態の数値に限定しない。
また、標準値の計算式も、上記形態では正常結果がマイナス、異常結果がプラスとなるようにしているが、逆でも差し支えない。
さらに、標準値は、合計や平均値、最大、最小値を算出する以外に、偏差値を算出したり、標準値推移を増減率として算出したり等、格納した標準値の処理は上記形態に限らず適宜選択可能である。
【００２６】
一方、上記形態では、パーソナルコンピュータに本発明の処理システムを構築しているが、例えば医療機関のパーソナルコンピュータに入力、保存した各被験者の結果値等のデータを、インターネット等の通信ネットワークを介して集計センター等の外部機関のサーバに送信し、当該サーバに設けた標準化プログラムで標準化を実行し、複数の医療機関に跨って被験者のデータを格納する処理システムとすることもできる。
また、処理プログラムは、ＦＤやＣＤ−ＲＯＭ等の記録媒体に格納して、任意のパーソナルコンピュータにインストールすることで標準化を実行することも可能である。
【図面の簡単な説明】
【００２７】
【図１】処理システムのブロック図である。
【図２】標準化処理のフローチャートである。
【符号の説明】
【００２８】
１・・処理システム、２・・ＣＰＵ、３・・記憶装置、４・・入出力制御部、５・・入力装置、６・・表示装置、７・・出力装置。
【図１】
2008302135.tif 000009
【図２】
2008302135.tif 000010